(57)【要約】【課題】防音性能および剛性を低下させることなく、歩行感のよい防音床材を得る。【解決手段】防音床材１は、木質基板２と、木質基板２の裏面に表面にて貼着される第１緩衝材３と、第１緩衝材３の裏面に貼着される第２緩衝材４とを備える。木質基板２の裏面には、床材幅方向に沿って延びる複数の溝２１，…，２１が床材長手方向に並んで形成される。第１緩衝材３は、表面に床材長手方向に沿って延びる複数の溝３１，…，３１が床材幅方向に並んで形成される。第２緩衝材４は、第１緩衝材３よりも硬度が低い。【選択図】図１
2008013930.tif 000002
【特許請求の範囲】
【請求項１】
裏面に、床材幅方向に沿って延びる複数の溝が床材長手方向に並んで形成された木質基板と、
上記木質基板の裏面に表面にて貼着され、該表面に床材長手方向に沿って延びる複数の溝が床材幅方向に並んで形成された第１緩衝材と、
上記第１緩衝材の裏面に貼着され、該第１緩衝材よりも硬度の低い第２緩衝材と、
を備えることを特徴とする防音床材。
【請求項２】
裏面に、床材幅方向に沿って延びる複数の溝が床材長手方向に並んで形成された木質基板と、
表面に、床材長手方向に沿って延びる複数の溝が床材幅方向に並んで形成された第１緩衝材と、
上記木質基板の裏面に表面にて貼着され、上記第１緩衝材よりも硬度の低い第２緩衝材と、
を備え、
上記第１緩衝材は、表面にて上記第２緩衝材の裏面に貼着されていることを特徴とする防音床材。
【発明の詳細な説明】
【技術分野】
【０００１】
本発明は、振動を緩衝するための緩衝材を含む防音床材に関するものである。
【背景技術】
【０００２】
従来より、コンクリートスラブ等の床下地に直接施工が可能であり、防音性能を有する直貼りの防音床材が知られている。この直貼りの防音床材は、例えば、木質基材に緩衝材を一体的に貼着して構成されており、その木質基板の裏面に溝を形成したり、緩衝材に厚みを持たせたりすることによって防音性能を向上させるようにしている。
【０００３】
ところで、防音性能を向上させると、その反面、歩行感が低下してしまうという問題があり、この問題を改善するために、種々の工夫が行われている。例えば、特許文献１に示すように、木質基板の裏面に溝を形成し、この裏面に貼着される緩衝材を互いに間隙を存して配置されて、相互に独立した複数の緩衝材片により構成することにより、緩衝材自体が持つ防振性能を損なうことなく、床材全体として防振性能を向上させて、歩行感の低下を防止しようとするものが提案されている。
【特許文献１】特開平８−２８０１５号公報
【発明の開示】
【発明が解決しようとする課題】
【０００４】
しかしながら、上記提案例のように、独立した複数の緩衝材片により緩衝材を構成すると、床材全体としての剛性が低下してしまうという問題がある。また、木質基板の溝と緩衝材片の溝との幅や間隔が互いに部分的にずれることがあり、その場合、床材の歩行感が部分的に異なって違和感が生じる。さらに、複数の独立した緩衝材片を木質基板の裏面に貼着せねばならず、加工に手間がかかり、生産性が低いという問題もある。
【０００５】
本発明は、かかる点に鑑みてなされたものであり、その目的とするところは、防音性能および剛性を低下させることなく、全体での歩行感のよい防音床材を得ることにある。
【課題を解決するための手段】
【０００６】
第１の本発明に係る防音床材は、裏面に、床材幅方向に沿って延びる複数の溝が床材長手方向に並んで形成された木質基板と、上記木質基板の裏面に表面にて貼着され、該表面に床材長手方向に沿って延びる複数の溝が床材幅方向に並んで形成された第１緩衝材と、上記第１緩衝材の裏面に貼着され、該第１緩衝材よりも硬度の低い第２緩衝材と、を備える。
【０００７】
上記の構成によると、木質基板の溝と第１緩衝材の溝とが互いに直交しているので、防音床材の剛性の低下が抑制されるとともに、木質基板と第１緩衝材とが接する部分は均一となり、防音床材の沈み込みが小さくなるので歩行感がよい。また、木質基板の溝と第１緩衝材の溝との幅や間隔が異なっている場合でも、これらの溝が直交していることで、両者の溝が平行に設けられている場合に比べて、部分的な歩行感の違いが少なくなる。
【０００８】
また、木質基板の裏面に溝加工が施されるため、木質基板が可撓性を有して床下地に馴染みがよく、施工が容易である。さらに、複数の溝が床材長手方向に並んで形成されるという溝加工によって、木質基板の長手方向に複数の空気層が形成されることになり、溝を形成しない場合に比べ衝撃音低減性能が向上する。この衝撃音の低減は、特に低音域において効果がある。
【０００９】
しかも、溝加工が施された木質基板の裏面側に、表面に溝加工が施された第１緩衝材が貼着されているため、第１緩衝材と木質基板との間にも空間が設けられることになり、防音床材の吸音性能が向上し、特に低音域において効果がある。また、第１緩衝材と木質基板とに互いに直交する溝が形成されているため、両者の接触面積が、溝加工が施されない場合と比べて溝の分だけ小さくなり、音が伝達しにくくなり、第１緩衝材自体による、高音域における良好な吸音性能と相俟って、防音床材の防音性能が向上する。
【００１０】
さらに、第１緩衝材の硬度が第２緩衝材よりも高く、これらの密度が異なることにより、振動が伝達しにくくなるとともに、防音床材の吸収できる振動帯域が広くなるので衝撃音低減性能がさらに向上する。
【００１１】
また、１つの第１緩衝材に溝を形成し、木質基板に貼着すればよいので、加工が容易であり、生産性がよい。
【００１２】
第２の本発明に係る防音床材は、裏面に、床材幅方向に沿って延びる複数の溝が床材長手方向に並んで形成された木質基板と、表面に、床材長手方向に沿って延びる複数の溝が床材幅方向に並んで形成された第１緩衝材と、上記木質基板の裏面に表面にて貼着され、上記第１緩衝材よりも硬度の低い第２緩衝材と、を備え、上記第１緩衝材は、表面にて上記第２緩衝材の裏面に貼着されている。
【００１３】
上記の構成によると、木質基板の溝と、第１緩衝材の溝とが直交しているので、防音床材の剛性の低下が抑制されるとともに、防音床材の沈み込みが小さいので歩行感がよい。また、木質基板の溝と第１緩衝材の溝との幅や間隔が異なっている場合でも、これらの溝を直交させることで、平行に溝が設けられている場合に比べて、部分的な歩行感の違いが少なくなる。
【００１４】
また、木質基板の裏面に溝加工が施されるため、木質基板が可撓性を有して床下地に馴染みがよく、施工が容易である。複数の溝が床材長手方向に並んで形成される溝加工によって、木質基板の長手方向に複数の空気層が形成されることになり、衝撃音低減性能が向上する。この衝撃音の低減は、特に低音域において効果がある。
【００１５】
第１緩衝材の硬度が、第２緩衝材の硬度よりも高く、これらの硬度が異なることにより、振動が伝達しにくくなるとともに、防音床材の吸収できる振動帯域が広くなるので衝撃音低減性能がさらに向上する。
【００１６】
また、それぞれ溝を有する木質基板と第１緩衝材とが、第２緩衝材を挟むように配置されるので、木質基板の溝と第１緩衝材の溝とによって、防音床材の厚さ方向に離れた２つの空間が設けられ、防音床材の吸音効果がさらに向上する。
【発明の効果】
【００１７】
本発明によれば、防音性能および剛性を低下させることなく、歩行感のよい防音床材を得ることができる。
【発明を実施するための最良の形態】
【００１８】
以下、本発明の実施形態を図面に基づいて詳細に説明する。
【００１９】
《発明の実施形態１》
図１に示すように、本発明の実施形態１に係る防音床材１は、木質基板２と、第１緩衝材３と、第２緩衝材４とがそれぞれ順番に積層されて一体的に構成されている。すなわち、上記木質基板２の裏面に第１緩衝材３の表面が貼着され、第１緩衝材３の裏面に第２緩衝材４の表面が貼着されている。
【００２０】
木質基板２には、合板、パーティクルボード、ＯＳＢ等の木質系ボードが用いられる。木質基板２の厚さは特に限定されるものではないが、生産性をよくするために９ｍｍ〜１２ｍｍ程度であることが好ましい。木質基板２の表面側には、仕上げのために、塗装を行ったり、化粧シートや突き板等を貼着したりする。
【００２１】
図２に示すように、木質基板２の裏面側には、防音床材１の幅方向に沿って延びる複数の溝２１，２１，…が、防音床材１の長手方向に並んで形成されている。各溝２１の深さは、木質基板２の厚さの２／３程度であることが好ましく、各溝２１の幅は、１．２ｍｍ程度である。また、溝２１，２１間の間隔は、１０ｍｍ〜１５ｍｍ程度がよい。ただし、溝２１の深さ、幅および間隔はこれらの値には限定されない。
【００２２】
このように、木質基板２の裏面側に溝２１，２１，…を形成することで、木質基板２が可撓性を有し、床下地に馴染みがよくなり、施工が容易となる。また、長手方向に並んだ複数の溝２１，２１，…を形成することにより、木質基板２が長手方向に複数の空気層を有することとなり、溝２１，２１，…を形成しない場合に比べ防音床材１の衝撃音吸収性能が向上する。この衝撃音の低減は、特に低音域において効果がある。
【００２３】
木質基板２の幅方向の一端には、嵌合用の雄実２２が長手方向全域に亘って形成されており、幅方向の他端には、上記雄実２２と嵌合する雌実２３が形成されている。同様に、木質基板２の長手方向の一端には、嵌合用の雄実（図示せず）が幅方向全域に亘って形成されており、長手方向の他端には、上記雄実と嵌合する雌実２３が形成されている。そうして、隣接する防音床材１，１同士が、一方の木質基板２の雄実２２と他方の木質基板２の雌実２３とを嵌合した状態で施工される。
【００２４】
上記第１緩衝材３は、弾力性と衝撃吸収性とを有する材料である、発泡ウレタン、発泡スチレン、発泡フェノール等の合成樹脂や、不織布、ゴム等により構成されている。第１緩衝材３は、音の振動を吸収するとともに、適度な歩行感を防音床材１に持たせるためのものである。なお、合成樹脂の気泡は、独立気泡であっても、連続気泡であってもよい。
【００２５】
図３に示すように、第１緩衝材３の表面側には、防音床材１の長手方向（木質基板２の溝２１と直交する方向）に沿って延びる複数の溝３１，３１，…が、防音床材１の幅方向に並んで形成されている。第１緩衝材３の厚さは、例えば４ｍｍであり、溝３１の深さは３ｍｍ程度である。溝３１の幅は１０ｍｍ程度であり、溝３１，３１間の間隔は、１０ｍｍ〜３０ｍｍ程度に設定されている。ただし、第１緩衝材３の厚さ、ならびに溝３１の深さ、幅および間隔は、これらの値には限定されない。
【００２６】
木質基板２の裏面に形成された溝２１，２１，…と、第１緩衝材３の表面に形成された溝３１，３１，…により、木質基板２と第１緩衝材３との間に、溝２１，３１の交差部分で連続する空間が設けられるので、防音床材１の吸音性能と衝撃音低減性能とをより向上させることができる。吸音性能は、低音域において特に向上する。
【００２７】
第１緩衝材３自体は、高音域における吸音性能がよい。また、第１緩衝材３と木質基板２との接触面積が、第１緩衝材３に溝加工が施されない場合と比べて小さいので、音が伝達しにくく、防音床材１の防音性能を向上させることができる。
【００２８】
また、木質基板２の溝２１，２１，…と、第１緩衝材３の溝３１，３１，…とが直交するように設けられているため、木質基板２と第１緩衝材３とが接する部分（溝２１，３１以外の部分）が均一となり、第１緩衝材３の硬度が木質基板２に比べて低くても、木質基板２の溝と第１緩衝材３の溝とを平行に設けた場合に比べて、歩行感がよい。また、木質基板２の溝と第１緩衝材３の溝とを平行に設けた場合、木質基板２と第１緩衝材３とが溝によって部分的に嵌合してしまい、局所的に歩行感が異なることがあるが、溝２１と溝３１とを直交させることにより、上記の如き溝による嵌合は生じず、歩行感のムラを抑制することができる。また、防音床材１の剛性の低下を抑制することができる。
【００２９】
第１緩衝材３の硬度は、９８Ｎ〜１９６Ｎであることが好ましい。なお、ここで硬度は、ＪＩＳ  Ｋ６４０１の規定に基づく。第１緩衝材３の硬度が９８Ｎよりも小さいと、圧縮強度が小さく防音床材１の沈み込みが大きくなり、適度な歩行感を得ることができないが、硬度を９８Ｎ以上とすることにより、第１緩衝材３の圧縮強度が小さすぎず、沈み込みを防いで適度な歩行感を得ることができる。また、第１緩衝材３の硬度が１９６Ｎよりも大きいと、軽量音域の防音性能が低下してしまうが、硬度を１９６Ｎ以下とすることにより、軽量音域の防音性能の低下を抑制することができる。
【００３０】
一方、第２緩衝材４は、弾力性と衝撃吸収性とを有する材料である、発泡ウレタンフォーム、発泡スチレン、発泡フェノール等の合成樹脂、不織布、ゴム等により構成されている。第２緩衝材４は、第１緩衝材３と同様に、音の振動を吸収するとともに、防音床材１に適度な歩行感を持たせるものである。また、第２緩衝材４は、床下地と馴染みがよいものであることが好ましい。第２緩衝材４の厚さは、例えば２ｍｍである。
【００３１】
第２緩衝材４の硬度は、９８Ｎ〜１９６Ｎであることが好ましいが、上記第１緩衝材３の硬度よりも低いものとする。 第２の緩衝材４の硬度が９８Ｎよりも小さいと、圧縮強度が小さく防音床材１の沈み込みが大きくなり、適度な歩行感を得ることができないが、硬度を９８Ｎ以上とすることにより、圧縮強度が小さすぎず、沈み込みを抑制し適度な歩行感を得ることができる。また、第２緩衝材４の硬度が１９６Ｎよりも大きいと、軽量音域の防音性能が低下してしまうが、硬度を１９６Ｎ以下とすることにより、軽量音域の防音性能の低下を抑制することができる。
【００３２】
第１緩衝材３の硬度が第２緩衝材４の硬度よりも高く、これらの硬度が異なることにより、振動が伝達しにくくなるとともに、吸収することができる振動帯域が広くなる。このことで、防音床材１の衝撃音低減性能を向上させることができる。また、第１緩衝材３と第２緩衝材４とを合わせた緩衝材全体としての硬度は、１４７Ｎ〜１７６．４Ｎとすることが好ましい。こうすることにより、防音床材１の衝撃音低減性能がより向上するとともに、より良好な歩行感を得ることができる。
【００３３】
例えば、第１緩衝材３の硬度が１７６．４Ｎである場合は、第２緩衝材４の硬度は、１１７．６Ｎ程度であることが好ましく、第１緩衝材３の硬度が１４７Ｎである場合は、第２緩衝材４の硬度は１３７．２Ｎ程度であることが好ましい。
【００３４】
第２緩衝材４の裏面には、不織布や樹脂発泡体を貼着することが好ましい。施工時における接着剤の第２緩衝材４への染みこみを抑制し、防音床材１の性能低下や歩行感の低下を防止することができる。不織布を貼着する場合、不織布の坪量は、１２ｇ〜２５ｇ／ｍ２であることが好ましい。不織布の坪量が、１２ｇ／ｍ２よりも小さいと染み込みを防ぐことができないが、１２ｇ／ｍ２以上であることにより、接着剤の染み込みを抑制することができる、また、不織布の坪量が、２５ｇ／ｍ２よりも大きいと歩行感が低下してしまうが、２５ｇ／ｍ２以下であることにより、歩行感の低下を防止することができる。
【００３５】
《発明の実施形態２》
次に、本発明の第２の実施形態に係る防音床材１０について、詳細に説明する。なお、図１〜３と同じ構成要素については同じ符号を付し、第１の実施形態と同じ部分については、その詳細な説明は省略する。
【００３６】
図４に示すように、第２の実施形態に係る防音床材１０は、木質基板２の裏面に第２緩衝材４の表面が貼着され、第２緩衝材４の裏面に第１緩衝材３の表面が貼着されている点で、第１の実施形態に係る防音床材１と異なる。その他の構成は、第１の実施形態と同じである。
【００３７】
第２の実施形態に係る防音床材１０においては、第１緩衝材３が、床下地と馴染みがよいものであることが好ましい。また、第１緩衝材３の裏面に、不織布や樹脂発泡体を貼着することが好ましい。
【００３８】
第２の実施形態に係る防音床材１０においては、第１の実施形態に係る防音床材１の奏する効果を有するとともに、木質基板２と第１緩衝材３とが、第２緩衝材４を挟むように配置されるので、木質基板２の溝２１，２１，…と第１緩衝材３の溝３１，３１，…とによって、防音床材１の厚さ方向に離れた２つの空間が設けられ、防音床材１の吸音効果をさらに向上させることができる、という効果を有する。
【００３９】
なお、上述の実施形態１および２は、本発明の例示であって、本発明はこの例に限定されるものではない。
【実施例】
【００４０】
木質基板を厚さ９ｍｍの合板とし、この合板の裏面に、深さが６ｍｍ、幅が１．２ｍｍである溝を防音床材の長手方向に１０〜１５ｍｍの間隔をあけて形成した。合板の幅方向および長手方向の端部には雄実と雌実とを形成し、四辺本実とした。
【００４１】
第１緩衝材として、密度２１ｋｇ／ｍ３、硬度１７６．４Ｎである厚さ４ｍｍの高硬度発泡ウレタンフォームを用いた。この表面に、深さが３ｍｍ、幅が１０ｍｍである溝を防音床材の幅方向に１０〜３０ｍｍの間隔をあけて形成した。
【００４２】
第２緩衝材として、密度２０ｋｇ／ｍ３、硬度１１７．６Ｎである厚さ２ｍｍの発泡ウレタンフォームを用いた。
【００４３】
合板の溝を形成した側に第１緩衝材の表面を貼着し、第１緩衝材の裏面に第２緩衝材を貼着した。その後、合板の表面に、化粧材として突き板を塗装した。第２緩衝材の裏面には、不織布を貼着した。
【００４４】
比較例として、実施例と同じ合板、第２緩衝材、突き板および不織布と、溝を形成しない第１緩衝材とからなる防音床材を用意した。
【００４５】
上記実施例と比較例との防音床材における軽量床衝撃音遮断性能をＪＩＳ  Ａ１４４０に準じて測定した結果を図５に示す。
【００４６】
この結果を見ると、各音帯域において、実施例の防音床材では、第１緩衝材に溝を形成しない比較例の防音床材と同等の床衝撃音レベルの低減が得られている。
【００４７】
また、実施例と比較例との防音床材を床スラブ状に施工し、歩行感を検討した結果、比較例に比べて実施例の防音床材は、歩行時の沈み込みが少なく、違和感が改善されていた。よって、本発明によって有効な効果が得られることがわかる。
【産業上の利用可能性】
【００４８】
本発明は、防音性能および剛性を低下させることなく、歩行感のよい防音床材を得ることができるので、振動を緩衝するための緩衝材を含む防音床材について有用である。
【図面の簡単な説明】
【００４９】
【図１】本発明の実施形態１に係る防音床材を示す斜視図である。
【図２】実施形態１に係る防音床材の長手方向に沿った断面の一部を示す断面図である。
【図３】実施形態１に係る防音床材の幅方向に沿った断面図である。
【図４】本発明の実施形態２を示す図１相当図である。
【図５】実施例と比較例との防音床材における軽量床衝撃音遮断性能を示す表である。
【符号の説明】
【００５０】
１    防音床材
２    木質基板２
３    第１緩衝材
４    第２緩衝材
１０  防音床材
２１  溝
３１  溝
【図１】
2008013930.tif 000003
【図２】
2008013930.tif 000004
【図３】
2008013930.tif 000005
【図４】
2008013930.tif 000006
【図５】
2008013930.tif 000007